(57)【要約】【課題】ヘルメット外側の取り付け基材にシールド板を回動可能に支持したものは、ねじを取り外してシールド板と取り付け基材の両方を外す必要があり、取り外したシールド板を再使用する場合に備えて、外した取り付け基材とねじが紛失しない保管が必要となり面倒である。本発明は、シールド板をヘルメットに回動可能に支持する機構部はヘルメットに残し、シールド板をヘルメットから取り外し可能とするものである。【解決手段】ヘルメット本体の左右両側外部に固定した固定軸基材は、シールド板の回動軸となる固定側軸部と、これを中心とする円弧状係止部を備え、シールド板は、固定側軸部と回動可能に係合する可動側軸部と、円弧状の係止部に係合する第二係止部を備え、シールド板が全開位置よりも開いた位置で固定側軸部と可動側軸部の係合、及び円弧状の係止部と第二係止部の係合が解除される構成。【選択図】図２
2007092244.tif 000002
【特許請求の範囲】
【請求項１】
ヘルメット本体の左右両側外部に固定した固定軸基材に対して透明性の合成樹脂製シールド板の左右両側部を回動可能に支持し、前記シールド板によって前記ヘルメット本体の前面開口部を開閉するヘルメットにおいて、前記固定軸基材は、前記シールド板の回動軸となる位置に設けた固定側軸部と、この固定側軸部を中心として形成された円弧状の係止部とを備え、前記シールド板は、前記固定側軸部と回動可能に係合する可動側軸部と、前記円弧状の係止部にスライド可能に係合する第二係止部とを備え、前記シールド板が全開位置よりも開いた状態において、前記固定側軸部と前記可動側軸部の係合、及び前記円弧状の係止部と前記第二係止部の係合が解除される構成であり、この状態で、前記シールド板が前記固定軸基材に対して着脱可能であることを特徴とするシールド板開閉式ヘルメット。
【請求項２】
前記固定側軸部と前記可動側軸部は、前記シールド板の全閉位置から全開位置までの間では係合状態を維持し、全開位置よりも開いた状態でこの係合状態が解除される円弧状突起をそれぞれ備え、前記円弧状の係止部には、前記シールド板の全閉位置と全開位置において前記第二係止部が落ち込む位置決め凹部を備え、この位置決め凹部間では、前記円弧状の係止部と前記第二係止部は弾力的係合状態を保持し、前記シールド板が全開位置よりも開いた状態ではこの弾力的係合状態が解除されて前記シールド板が前記固定軸基材から着脱可能であることを特徴とする請求項１に記載のシールド板開閉式ヘルメット。
【発明の詳細な説明】
【技術分野】
【０００１】
本発明は、自動二輪車などに乗車する場合に使用されるシールド板開閉式ヘルメットに関する。
【背景技術】
【０００２】
従来のヘルメットにおけるシールド板の開閉方式として、ヘルメット本体の外側シェルに取り付けた取り付け基材に形成した筒体部が、シールド板の側部に形成した円弧状ガイド溝に形成した全閉位置用保持孔部、全開位置用保持孔部、デフロスト位置用保持孔部に嵌り合う構成によって、ヘルメット本体に対してシールド板を全閉位置、デフロスト位置、全開位置と順次開閉できるものがある。（例えば、特許文献１参照）。
【０００３】
具体的には、シールド板５の円弧状ガイド溝４７に取り付け基材１９の筒状部２３が嵌った状態にシールド板５と取り付け基材１９とを組み合わせ、この状態で、シールド板５の外側からねじ５７、５８をヘルメットの外側シェル７に固定する。これによって、取り付け基材１９はヘルメットの外側シェル７に固定され、シールド板５は、ねじ５７を支軸として上下に回動可能となる。このシールド板５の上下回動によって、取り付け基材１９の筒状部２３はシールド板５の円弧状ガイド溝４７に沿って移動し、この円弧状ガイド溝４７に形成した全閉位置用保持孔部、全開位置用保持孔部、デフロスト位置用保持孔部に筒状部２３が嵌り合うことによって、シールド板５が、これらの位置に一時的に保持される構成である。
【特許文献１】特開平１０−１６８６３８号
【発明の開示】
【発明が解決しようとする課題】
【０００４】
特許文献１の構成は、上記のように、シールド板５の円弧状ガイド溝４７に取り付け基材１９の筒状部２３が嵌った状態にシールド板５と取り付け基材１９とを組み合わせ、この状態で、シールド板５の外側からねじ５７、５８をヘルメットの外側シェル７に固定する構成である。このため、シールド板５を取り外してヘルメットのみを使用する場合には、ねじ５７、５８を取り外して、シールド板５と取り付け基材１９を取り外す必要があり、シールド板５の着脱が面倒である。特に、取り外したシールド板５を再使用する場合に備えて、取り外した取り付け基材１９とねじ５７、５８が紛失しないように注意した保管が必要となり、結構面倒である。このような点に鑑みて、本発明は、シールド板５をヘルメットに回動可能に支持する機構部はヘルメットに残した状態で、シールド板５をヘルメットから取り外し可能とし、シールド板５の着脱がし易い構成を提供するものである。
【課題を解決するための手段】
【０００５】
第１発明のシールド板開閉式ヘルメットは、ヘルメット本体の左右両側外部に固定した固定軸基材に対して透明性の合成樹脂製シールド板の左右両側部を回動可能に支持し、前記シールド板によって前記ヘルメット本体の前面開口部を開閉するヘルメットにおいて、前記固定軸基材は、前記シールド板の回動軸となる位置に設けた固定側軸部と、この固定側軸部を中心として形成された円弧状の係止部とを備え、前記シールド板は、前記固定側軸部と回動可能に係合する可動側軸部と、前記円弧状の係止部にスライド可能に係合する第二係止部とを備え、前記シールド板が全開位置よりも開いた状態において、前記固定側軸部と前記可動側軸部の係合、及び前記円弧状の係止部と前記第二係止部の係合が解除される構成であり、この状態で、前記シールド板が前記固定軸基材に対して着脱可能であることを特徴とする。
【０００６】
第２発明のシールド板開閉式ヘルメットは、第１発明において、前記固定側軸部と前記可動側軸部は、前記シールド板の全閉位置から全開位置までの間では係合状態を維持し、全開位置よりも開いた状態でこの係合状態が解除される円弧状突起をそれぞれ備え、前記円弧状の係止部には、前記シールド板の全閉位置と全開位置において前記第二係止部が落ち込む位置決め凹部を備え、この位置決め凹部間では、前記円弧状の係止部と前記第二係止部は弾力的係合状態を保持し、前記シールド板が全開位置よりも開いた状態ではこの弾力的係合状態が解除されて前記シールド板が前記固定軸基材から着脱可能であることを特徴とする。
【発明の効果】
【０００７】
第１の発明では、前記シールド板は全閉位置から全開位置の間は、安定して前記固定軸基材に支持される。そして、前記シールド板は、全開位置よりも開いた状態で前記固定軸基材から取り外し可能であるため、シールド板を使用する場合と、使用しない場合におけるシールド板の着脱において、前記固定軸基材の取り外しがないため、シールド板を取り外した場合の前記固定軸基材の保管やその保管中の紛失もなく、便利である。
【０００８】
第２の発明では、第１の発明の効果に加えて、位置決め凹部間では、前記円弧状の係止部と前記第二係止部は弾力的係合状態を保持するため、回動中の前記シールド板の保持が安定し、また、前記シールド板が全開位置よりも開いた状態では、この弾力的係合状態が解除されるため、前記固定軸基材から前記シールド板の取り外しが容易となる。
【発明を実施するための最良の形態】
【０００９】
本発明のシールド板開閉式ヘルメットは、ヘルメット本体の左右両側外部に固定した固定軸基材に対して透明性の合成樹脂製シールド板の左右両側部を回動可能に支持し、前記シールド板によって前記ヘルメット本体の前面開口部を開閉するヘルメットにおいて、前記固定軸基材は、前記シールド板の回動軸となる位置に設けた固定側軸部と、この固定側軸部を中心として形成された円弧状の係止部とを備え、前記シールド板は、前記固定側軸部と回動可能に係合する可動側軸部と、前記円弧状の係止部にスライド可能に係合する第二係止部とを備え、前記シールド板が全開位置よりも開いた状態において、前記固定側軸部と前記可動側軸部の係合、及び前記円弧状の係止部と前記第二係止部の係合が解除される構成であり、この状態で、前記シールド板が前記固定軸基材に対して着脱可能であり、以下に本発明の実施形態を記載する。
【実施例１】
【００１０】
次に、本発明の実施の形態について説明する。図１はシールド板の開閉状態を示すシールド板開閉式ヘルメットの側面図、図２はシールド板の回動支持部を構成するシールド板の左右両側部の構成と固定軸基材との関係を示す分解斜視図、図３は図２のＡ−Ａ断面図、図４は図２のＢ−Ｂ断面図、図５は固定軸基材の表面図、図６は固定軸基材の裏面図、図７はシールド板の回動支持部の構成を示す断面図、図８は図５の溝１４Ｎに沿ったＣ−Ｃ断面図、図９はヘルメット本体に取り付けた固定軸基材に対しシールド板を着脱する初期位置を示す側面図、図１０はヘルメット本体に対するシールド板の全開状態を示す側面図、図１１はヘルメット本体に対するシールド板の回動途中の状態を示す側面図、図１２はヘルメット本体に対しシールド板が少し開いた状態の側面図、図１３はヘルメット本体に対するシールド板の全閉状態を示す右側面図である。
【００１１】
本発明の実施例を図に基づき説明する。本発明のシールド板開閉式ヘルメット１は、ヘルメット本体２の左右両側外部に固定した合成樹脂製の固定軸基材１２に対して、少なくとも前面側が透明である合成樹脂製シールド板３の左右両側部を回動支持部Ｗによって回動可能に支持し、シールド板３によってヘルメット本体２の前面開口部２０を開閉するものである。固定軸基材１２は、シールド板３の回動軸となる位置に設けた固定側軸部１３と、この固定側軸部１３を中心として形成された円弧状の係止部１４とを備えている。また、シールド板３は、固定側軸部１３と回動可能に係合する可動側軸部４と、円弧状の係止部１４にスライド可能に係合する第二係止部５とを備えている。この構成によって、回動支持部Ｗが構成され、シールド板３がヘルメット本体２の前面開口部２０を全開位置と全閉位置の間を回動可能である。そして、後述のようにシールド板３が、ヘルメット本体２の前面開口部２０を全開位置よりも更に開いた初期位置１４Ａへ回動したとき、固定側軸部１３と可動側軸部４の係合、及び円弧状の係止部１４と第二係止部５の係合が解除される状態となり、この状態が、固定軸基材１２に対するシールド板３の着脱可能位置である。なお、シールド板３は、合成樹脂製の透明な前面側部分と、この前面側部分の左右両側にネジなどで取り付けた合成樹脂製の透明又は半透明の両端部分とで構成し、この両端部分に可動側軸部４と第二係止部５とを形成した構成でもよい。
【００１２】
この構成を図に基づき、以下に詳細に説明する。固定軸基材１２は、固定側軸部１３と円弧状の係止部１４とを一体成型した合成樹脂製で略平板状をなし、固定側軸部１３は、周囲壁１５Ａで囲まれた円形状（所謂、円筒状）の軸受け部１５を固定軸基材１２の外側面に形成しており、この軸受け部１５は、周囲壁１５Ａの先端部で対抗する位置に、軸受け部１５へ被さるように内方へ突出した円弧状突起１５Ｂ、１５Ｂを形成している。円形状の軸受け部１５の中心には、頭付きの取り付けネジ１６のネジ部１６Ａが略いっぱいに挿通される取り付け孔１７Ａが形成されている。また、係止部１４は、固定側軸部１３を中心として固定軸基材１２の外側面に円弧状に突出形成されている。円弧状のスリット１８は、円弧状の係止部１４を金型で成型するためのものである。固定軸基材１２をヘルメット本体２の所定位置に固定するために、固定軸基材１２の一部は、取り付け孔１７Ａを通して取り付けネジ１６のネジ部１６Ａをヘルメット本体２のネジ孔に螺合することに固定され、固定軸基材１２の他部は取り付け孔１７Ｂを通して取り付けネジ１９によってヘルメット本体２に固定される。円弧状の係止部１４の半径外方には、係止部１４と対抗する位置に、係止部１４の円弧と同心の円弧状壁１４Ｇが形成されている。これによって、円弧状の係止部１４と円弧状壁１４Ｇとの間に、後述のように、第二係止部５の係止辺５Ｃが係止部１４に被さるように係合した状態で、第二係止部５の弧状の係合部５Ｂが移動するために幅Ｔ２の溝１４Ｎが形成される。この溝１４Ｎの幅Ｔ２は、後述の初期位置１４Ａにおいて広く、第二係止部５の突出方向長さＳ１よりも若干大きい幅Ｔ１である。
【００１３】
シールド板３の左右部分と一体形成した可動側軸部４は、シールド板３の内側面に円筒状の軸部４Ａを突出形成し、この軸部４Ａの先端部で対抗する位置に、外側へ突出した円弧状突起４Ｂ、４Ｂを形成している。可動側軸部４Ａと円形状（所謂、円筒状）の軸受け部１５との嵌合関係は、円筒状の軸部４Ａの外側へ突出した円弧状突起４Ｂ、４Ｂが円形状（所謂、円筒状）の軸受け部１５内に支持されて回動する嵌合関係であり、円弧状突起４Ｂ、４Ｂの外面が形成する円形状外径は、円形状（所謂、円筒状）の軸受け部１５の内径より僅かに小さく、円弧状突起４Ｂ、４Ｂが軸受け部１５内で安定回動する保持関係である。そして、シールド板３の回動に伴って円筒状の軸部４Ａが円形状（所謂、円筒状）の軸受け部１５内で回動するとき、円弧状突起４Ｂ、４Ｂが円弧状突起１５Ｂ、１５Ｂの内側に入り込む係合状態と、円弧状突起４Ｂ、４Ｂが円弧状突起１５Ｂ、１５Ｂから外れる係合解除状態が得られる関係である。なお、１５Ｃは円弧状突起１５Ｂ、１５Ｂを金型で成型するための孔である。また、円筒状の軸部４Ａと同じシールド板３の内側面には、係止部１４にスライド可能に係合する第二係止部５が、シールド板３と一体成型によって略Ｌ字状に立ち上がって形成されている。第二係止部５は、シールド板３から立ち上がり基部には、弧状の係合部５Ｂが形成されており、この立ち上がり基部の先端部には屈曲して平板状の係止辺５Ｃが形成されている。
【００１４】
固定軸基材１２の係止部１４には、シールド板３の開閉位置を定める複数の位置決め凹部１４Ｂ、１４Ｃ、１４Ｄを軸受け部１５に向けて窪んで形成している。後述のように、シールド板３の回動によって、第二係止部５の弧状の係合部５Ｂが位置決め凹部１４Ｂに嵌まり込んだ状態が、ヘルメット本体２の前面開口部２０に対するシールド板３の全開位置であり、また、第二係止部５の弧状の係合部５Ｂが位置決め凹部１４Ｃに嵌まり込んだ状態が、ヘルメット本体２の前面開口部２０に対しシールド板３が少し開いた位置であり、更に、第二係止部５の弧状の係合部５Ｂが位置決め凹部１４Ｄに嵌まり込んだ状態が、ヘルメット本体２の前面開口部２０に対しシールド板３が閉じた全閉位置である。
【００１５】
ヘルメット本体２の左右両側部に取り付けた固定軸基材１２に、シールド板３の左右両側部を回動可能に取り付けるためと、取り付けたシールド板３を固定軸基材１２から取り外すために、シールド板３がヘルメット本体２の前面開口部２０を全開位置よりも開いた位置、即ち、シールド板３の第二係止部５の係止辺５Ｃが固定軸基材１２の係止部１４に最初に係合する初期位置１４Ａに位置するとき、固定側軸部１３の円弧状突起１５Ｂ、１５Ｂと可動側軸部４の円弧状突起４Ｂ、４Ｂとの係合が解除されると共に、円弧状の係止部１４と第二係止部５の係合が解除される状態となる。この状態が、固定軸基材１２に対するシールド板３の着脱可能位置である。
【００１６】
シールド板３は、全体を一枚の透明性の合成樹脂板で可動側軸部４と第二係止部５を一体成型した構成でもよく、また、シールド板３の前面部は透明性のある合成樹脂板で構成し、シールド板３の左右両側部分は可動側軸部４と第二係止部５を一体成型した側面板で構成し、このシールド板３の前面部と左右両側部分とをネジ等によって結合する構成でもよい。
【００１７】
ヘルメット本体２にシールド板３の取り付けは、先ず、ヘルメット本体２の左右両側部にネジ１６、１９で固定軸基材１２を取り付ける。この状態で、シールド板３の左右両側部を固定軸基材１２に取り付ける訳であるが、シールド板３の可動側軸部４が固定側軸部１３に近接対応する状態でもって、先ず、シールド板３の第二係止部５を固定軸基材１２の初期位置１４Ａに対応させ、係止辺５Ｃを初期位置１４Ａに係合させる。これは、溝１４Ｎの幅Ｔ２が初期位置１４Ａにおいて、第二係止部５の突出方向長さＳ１よりも若干大きい幅Ｔ１であるため、この幅Ｔ１内で第二係止部５を係止部１４の初期位置１４Ａに係合させることができる。この係合状態を保ちつつ、シールド板３の可動側軸部４を固定側軸部１３に嵌め合わせる。即ち、可動側軸部４が固定側軸部１３に近接対応する状態で、可動側軸部４の円弧状突起４Ｂ、４Ｂが固定側軸部１３の円弧状突起１５Ｂ、１５Ｂに対面せず相互に衝突しない位置であるため、この状態で、可動側軸部４を固定軸基材１２へ向けて移動させることによって、可動側軸部４の円弧状突起４Ｂ、４Ｂは、固定側軸部１３の円弧状突起１５Ｂ、１５Ｂ間を通り抜けて、軸受け部１５内に進入する。
【００１８】
この進入した状態で、図９に示すように、シールド板３の第二係止部５が固定軸基材１２の初期位置１４Ａに係合しており、これは固定軸基材１２に対するシールド板３の着脱可能位置である。この位置は、シールド板３がヘルメット本体２の前面開口部２０を全開位置よりも開いた状態である。この状態では、固定軸基材１２の係止部１４と第二係止部５とは緩い係合関係であるが、この状態から第二係止部５が位置決め凹部１４Ｂに嵌まり込む全開位置へ向けてシールド板３を回動させるとき、第二係止部５の係止辺５Ｃは係止部１４の裏面に高く形成した傾斜１４Ｅをスライドしつつ上る。これと共に第二係止部５の弧状の係合部５Ｂが傾斜１４Ｐをスライドしつつ上る。この傾斜１４Ｅの頂上部１４Ｆと傾斜１４Ｐの頂上部である縁部１４Ｈを乗り越えた所に位置決め凹部１４Ｂが形成されており、第二係止部５が傾斜１４Ｅを上って頂上部１４Ｆを乗り越え、第二係止部５の弧状の係合部５Ｂが、位置決め凹部１４Ｂに嵌まり込む。この状態が、図１０に示すように、ヘルメット本体２の前面開口部２０に対するシールド板３の全開位置である。このように第二係止部５の係止辺５Ｃが傾斜１４Ｅを上るとき、徐々に係止部１４と第二係止部５との係合関係が強くなり、第二係止部５の係止辺５Ｃが傾斜１４Ｅを上って頂上部１４Ｆを乗り越えたとき、この強い係合関係が和らぐ。
【００１９】
シールド板３が全開位置から全閉位置までの間を回動するとき、第二係止部５が係止部１４から外れないように、第二係止部５の係止辺５Ｃが係止部１４の裏面と深い係合関係を維持するために、円弧状の係止部１４の半径外方には、係止部１４と対抗する位置に、係止部１４の円弧と同心の円弧状壁１４Ｇが形成されている。このため、シールド板３の回動によって、位置決め凹部１４Ｂに第二係止部５が嵌まり込んだ状態では、第二係止部５の係止辺５Ｃは係止部１４の裏面と深い係合関係を維持する。そして、位置決め凹部１４Ｂに第二係止部５が嵌まり込む状態へのシールド板３の回動によって、固定側軸部１３の円弧状突起１５Ｂ、１５Ｂの内側へ可動側軸部４の円弧状突起４Ｂ、４Ｂの一端側が進入して両者が係合関係となるため、固定側軸部１３から可動側軸部４が外れることはない。また、ネジ１６は、円筒状の軸部４Ａ内に入り込んで、シールド板３の回動の邪魔にならないように、その頭１６Ｂの厚さと直径が定められている。また、ネジ１９の頭１９Ｂの厚さは、係止部１４と円弧状壁１４Ｇの高さよりも低くなる寸法であるため、シールド板３の回動の邪魔にならない。
【００２０】
図５に示すように、初期位置１４Ａと位置決め凹部１４Ｂの間の縁部１４Ｈ、及び位置決め凹部１４Ｂと１４Ｃの間の縁部１４Ｊ、及び位置決め凹部１４Ｃと１４Ｄの間の縁部１４Ｋが描く円弧ＰＬよりも、初期位置１４Ａの縁部がシールド板３の回動中心寄りに形成されている。このため、上記のように、シールド板３の回動に伴って第二係止部５が初期位置１４Ａから位置決め凹部１４Ｂへ移動するとき、第二係止部５の立ち上がり基部に形成した弧状の係合部５Ｂが縁部１４Ｈに強く当接する状態を経て、弧状の係合部５Ｂが位置決め凹部１４Ｂに嵌まり込む。弧状の係合部５Ｂが位置決め凹部１４Ｂに嵌まり込んだ状態からシールド板３を初期位置１４Ａに向けて逆回動させる場合は、弧状の係合部５Ｂが縁部１４Ｈによる強い抵抗を受け、且つ傾斜１４Ｅの頂上部１４Ｆ（別名、ストッパー）による強い抵抗を受けるため、シールド板３を初期位置１４Ａに向けた逆回動が阻止される。ここで、シールド板３をヘルメット本体２から取り外す場合は、第二係止部５の係止辺５Ｃが頂上部１４Ｆを乗り越え得る状態まで、第二係止部５に対応するシールド板３の左右両端部を固定軸基材１２側に向けて強く押して若干撓ませた状態で、シールド板３を逆回転させることにより、係止辺５Ｃが頂上部１４Ｆを乗り越えて、シールド板３を初期位置１４Ａに戻すことができる。
【００２１】
なお、シールド板３を初期位置１４Ａに向けた逆回動を阻止する構成として、頂上部１４Ｆの代わりに、溝１４Ｎの奥壁１４Ｎ１に頂上部１４Ｆ同様のストッパー部を形成すれば、同様の機能を果たすことができる。この構成において、シールド板３をヘルメット本体２から取り外す場合は、第二係止部５の係止辺５Ｃがこのストッパー部を乗り越え得る状態まで、第二係止部５に対応するシールド板３の左右両端部を固定軸基材１２から離れる方向へ強く押して若干撓ませた状態で、シールド板３を逆回転させることにより、係止辺５Ｃがこのストッパー部を乗り越えて、シールド板３を初期位置１４Ａに戻すことができる。
【００２２】
次に、シールド板３を図１０に示す全開位置から更に前面開口部２０を閉じる方向へ回動するとき、シールド板３の回動に伴って、第二係止部５の弧状の係合部５Ｂが、位置決め凹部１４Ｂから脱出するため、第二係止部５の弧状の係合部５Ｂが縁部１４Ｊに強く当接する。これと共に、溝１４Ｎの奥壁１４Ｎ１に形成した傾斜１４Ｍを係止辺５Ｃの基部がスライドして上るため、シールド板３の側面がヘルメット本体２の外方へ押され、第二係止部５の係止辺５Ｃが、係止部１４の裏側と溝１４Ｎの奥壁１４Ｎ１との間隔Ｔ３で挟まれた状態でシールド板３と係止部１４との若干の弾性変形により、係止部１４の裏側に当接する状態となる。
【００２３】
この状態は図１１に示すように、位置決め凹部１４Ｂと１４Ｃの中間位置であり、この状態において、第二係止部５の係止辺５Ｃは係止部１４の裏面と深い係合関係を維持し、且つ、可動側軸部４の円弧状突起４Ｂ、４Ｂの一端側は、更に深く固定側軸部１３の円弧状突起１５Ｂ、１５Ｂの内側へ進入して両者の係合状態を維持するため、固定側軸部１３から可動側軸部４が外れることはない。このように、可動側軸部４が固定側軸部１３との係合を維持しつつ、第二係止部５の係止辺５Ｃが係止部１４の裏面に強く係合すると共に、第二係止部５の弧状の係合部５Ｂが縁部１４Ｊに強く当接する状態を保つため、シールド板３の回動抵抗が大きい状態となり、図１１のように、前面開口部２０を開いた途中の状態にシールド板３を保持することができる。これは、第二係止部５を含むシールド板３の若干の弾性変形と係止部１４との若干の弾性変形によって達成される。
【００２４】
更に、シールド板３の回動抵抗に抗して、シールド板３を前面開口部２０を閉じる方向へ回動することによって、第二係止部５の立ち上がり基部に形成した弧状の係合部５Ｂが、位置決め凹部１４Ｃに嵌まり込む。この状態が、図１２に示すように、ヘルメット本体２の前面開口部２０に対しシールド板３が少し開いた換気位置である。
【００２５】
また更に、シールド板３を前面開口部２０を閉じる方向へ回動することによって、第二係止部５の立ち上がり基部に形成した弧状の係合部５Ｂが縁部１４Ｋに強く当接する状態を乗り越えて、弧状の係合部５Ｂが位置決め凹部１４Ｄに嵌まり込む。この状態が、図１３に示すように、ヘルメット本体２の前面開口部２０に対しシールド板３が閉じた全閉位置である。
【００２６】
この全閉位置から、シールド板３を前面開口部２０を開く方向へ回動することによって、第二係止部５の立ち上がり基部に形成した弧状の係合部５Ｂが、順次位置決め凹部１４Ｃ、位置決め凹部１４Ｂ、初期位置１４Ａへと移動する。そして、係合部５Ｂが初期位置１４Ａへ達した状態、即ち、第二係止部５が初期位置１４Ａへ達した状態で、可動側軸部４の円弧状突起４Ｂ、４Ｂが固定側軸部１３の円弧状突起１５Ｂ、１５Ｂとの係合から外れる。この状態で、可動側軸部４を固定軸基材１２から外す方向へシールド板３の左右側端部を外方へ移動させることによって、可動側軸部４の円弧状突起４Ｂ、４Ｂは、固定側軸部１３の円弧状突起１５Ｂ、１５Ｂ間を通り抜けて、可動側軸部４が固定軸基材１２から外れる。これによって、シールド板３はヘルメット本体２から取り外される。
【００２７】
通常のフルフェースヘルメット１においては、シールド板３の曇り防止のみならず使用者の涼しさ、息苦しさ、開放感等の心理的要因からも、シールド板を少し開く状態は必要である。そこで、本発明において、図１２に示すように、ヘルメット本体２の前面開口部２０に対しシールド板３が少し開いた換気位置は、風導入位置又は曇り防止位置であり、通常、走行速度が約６０ｋｍ／時間よりも低速走行時に使用されるものであり、これ以上の走行速度では、風の巻き込み、風切り騒音、風圧、目の乾燥等によって使用に耐えられなくなることも考えられる。約６０ｋｍ／時間以下の走行速度において、走行パターンがどのようになるかによってこのような小開度の好ましい値も変わってくる。ゴー、ストップの多い市街地では低速走行となり、気温が高い場合等では、比較的大きな開度が求められるし、信号の少ない場所を一定速度で走行する場合には、比較的小さな開度が求められるため、このようなことを考慮して、この小開度を定めればよい。本発明では、実用的見地から、ヘルメット本体２に対するシールド板３の開度は、前記全閉位置を開度０（ゼロ）として、前記小さく開いた風導入位置を６°〜１２°とし、前記全開位置の開度を４５°〜５５°としている。
【産業上の利用可能性】
【００２８】
本発明は上記のように、ヘルメット本体２の左右両側部に取り付けた固定軸基材１２に、シールド板３の左右両側部を回動可能に取り付けるためと、固定軸基材１２に取り付けたシールド板３を固定軸基材１２から取り外すために、シールド板３がヘルメット本体２の前面開口部２０を全開位置よりも更に開いた位置において、シールド板３を固定軸基材１２から取り外す構成である。本発明は、この技術思想を逸脱しない範囲で、上記実施形態に限定されず種々の変更が考えられ、それに係る種々の実施形態を包含するものである。
【図面の簡単な説明】
【００２９】
【図１】本発明に係るシールド板の開閉状態を示すシールド板開閉式ヘルメットの側面図である。（実施例１）
【図２】本発明に係るシールド板の回動支持部を構成するシールド板の左右両側部の構成と固定軸基材との関係を示す分解斜視図である。（実施例１）
【図３】図２のＡ−Ａ断面図である。（実施例１）
【図４】図２のＢ−Ｂ断面図である。（実施例１）
【図５】本発明に係る固定軸基材の表面図である。（実施例１）
【図６】本発明に係る固定軸基材の裏面図である。（実施例１）
【図７】本発明に係るシールド板の回動支持部の構成を示す断面図である。（実施例１）
【図８】図５の溝１４Ｎに沿ったＣ−Ｃ断面図である。（実施例１）
【図９】本発明に係るヘルメット本体に取り付けた固定軸基材に対しシールド板を着脱する初期位置を示す側面図である。（実施例１）
【図１０】本発明に係るヘルメット本体に対するシールド板の全開状態を示す側面図である。（実施例１）
【図１１】本発明に係るヘルメット本体に対するシールド板の回動途中の状態を示す側面図である。（実施例１）
【図１２】本発明に係るヘルメット本体に対しシールド板が少し開いた状態の側面図である。（実施例１）
【図１３】本発明に係るヘルメット本体に対するシールド板の全閉状態を示す右側面図である。（実施例１）
【符号の説明】
【００３０】
１・・・・・シールド板開閉式ヘルメット
２・・・・・ヘルメット本体
３・・・・・シールド板
４・・・・・可動側軸部
４Ａ・・・・円筒状軸部
４Ｂ・・・・円弧状突起
４Ｃ・・・・孔
５・・・・・第二係止部
５Ａ・・・・孔
５Ｂ・・・・弧状係合部
５Ｃ・・・・係止辺
１２・・・・固定軸基材
１３・・・・固定側軸部
１４・・・・円弧状係止部
１４Ａ・・・初期位置
１４Ｂ・・・位置決め凹部
１４Ｃ・・・位置決め凹部
１４Ｄ・・・位置決め凹部
１４Ｅ・・・傾斜
１４Ｎ・・・溝
１４Ｐ・・・傾斜
１５・・・・軸受け部
１５Ａ・・・周囲壁
１５Ｂ・・・円弧状突起
１６・・・・ネジ
１８・・・・円弧状のスリット
１９・・・・ネジ
２０・・・・ヘルメット本体の前面開口部
【図１】
2007092244.tif 000003
【図２】
2007092244.tif 000004
【図３】
2007092244.tif 000005
【図４】
2007092244.tif 000006
【図５】
2007092244.tif 000007
【図６】
2007092244.tif 000008
【図７】
2007092244.tif 000009
【図８】
2007092244.tif 000010
【図９】
2007092244.tif 000011
【図１０】
2007092244.tif 000012
【図１１】
2007092244.tif 000013
【図１２】
2007092244.tif 000014
【図１３】
2007092244.tif 000015